【手続補正書】
【提出日】平成29年12月19日(2017.12.19)
【手続補正１】
【補正対象書類名】特許請求の範囲
【補正対象項目名】全文
【補正方法】変更
【補正の内容】
【特許請求の範囲】
【請求項１】
タッチセンス装置であって、該タッチセンス装置は：
行と列を含むタッチインターフェース；
少なくとも複数の行それぞれに、複数の固有の直交信号を生成するための信号発生器であって、複数の固有の直交信号は、第１の周波数範囲にあり、第１の周波数間隔を有し、第１の周波数範囲は、第１の中心周波数を有している信号発生器；
周波数変換器
を含み、
該周波数変換器は：
第１の周波数範囲内に信号が含まれ、複数の列の少なくとも１つに存在する第１のタッチ信号を受信し、
第１のタッチ信号を、第２の信号と組み合わせ、及び
第１の中心周波数よりも低い中心周波数を有し、第１の周波数間隔で第２の周波数範囲内に信号が含まれる低周波数のタッチ信号を出力し；
前記タッチセンス装置は更に、
低周波数のタッチ信号を処理し且つタッチ事象のデータを出力することによりタッチインターフェース上のタッチを識別するためのタッチプロセッサ
を含む、タッチセンス装置。
【請求項２】
周波数変換器及びタッチプロセッサは、同じハードウェアプロセッサの一部である、ことを特徴とする請求項１に記載のタッチセンス装置。
【請求項３】
周波数変換器及びタッチプロセッサは異なるハードウェアプロセッサである、ことを特徴とする請求項１に記載のタッチセンス装置。
【請求項４】
直交信号は周波数において直交である、ことを特徴とする請求項１に記載のタッチセンス装置。
【請求項５】
低周波数のタッチ信号は、周波数変換器により整列された周波数ビンを有し、それにより、タッチプロセッサによる低周波数のタッチ信号の処理を容易にする、ことを特徴とする請求項４に記載のタッチセンス装置。
【請求項６】
直交信号は周波数において予め選択された間隔を有し、周波数変換器は、第１のタッチ信号と低周波数のタッチ信号との間に予め選択された周波数オフセットを設けて、それにより、タッチプロセッサによる低周波数のタッチ信号の処理を容易にする、ことを特徴とする請求項４に記載のタッチセンス装置。
【請求項７】
タッチプロセッサは、分光分析を行なうように構成されたプロセッサを含む、ことを特徴とする請求項４に記載のタッチセンス装置。
【請求項８】
タッチプロセッサは、フーリエ変換を使用して分光分析を行なうように構成されたプロセッサを含む、ことを特徴とする請求項７に記載のタッチセンス装置。
【請求項９】
タッチインターフェースの各行からどの対象の信号、及びどれだけの対象の信号が、タッチインターフェースの各列に存在するかを判定するために、各列が分析されるよう、分光分析をデジタルで実行するように構成される、請求項８に記載のタッチセンス装置。
【請求項１０】
直交信号は、時間、周波数、及び符号から成る群から選択された少なくとも２つに関して直交である、ことを特徴とする請求項１に記載のタッチセンス装置。
【請求項１１】
低周波数のタッチ信号は、周波数変換器により整列された周波数ビンを有し、それにより、タッチプロセッサによる低周波数のタッチ信号の処理を容易にする、ことを特徴とする請求項１０に記載のタッチセンス装置。
【請求項１２】
タッチプロセッサは、分光分析を行なうように構成されたプロセッサを含む、ことを特徴とする請求項１０に記載のタッチセンス装置。
【請求項１３】
タッチプロセッサは、フーリエ変換を使用して分光分析を行なうように構成されたプロセッサを含む、ことを特徴とする請求項１２に記載のタッチセンス装置。
【請求項１４】
タッチインターフェースの各行からどの対象の信号、及びどれだけの対象の信号が、タッチインターフェースの各列に存在するかを判定するために、各列が分析されるよう、分光分析をデジタルで実行するように構成される、請求項１３に記載のタッチセンス装置。
【請求項１５】
タッチプロセッサは、フーリエ変換を使用して相互相関を行なうように構成されたプロセッサを含む、ことを特徴とする請求項１０に記載のタッチセンス装置。
【請求項１６】
タッチインターフェースの各行からどの対象の信号、及びどれだけの対象の信号が、タッチインターフェースの各列に存在するかを判定するために、各列の信号が分析されるよう、相互相関をデジタルで実行するように構成される、請求項１５に記載のタッチセンス装置。
【請求項１７】
タッチプロセッサは更にアナログ−デジタル変換器を含む、ことを特徴とする請求項１に記載のタッチセンス装置。
【請求項１８】
タッチプロセッサによる処理のために低周波数のタッチ信号をデジタル信号に変換するように構成された、アナログ−デジタル変換器を更に含む、請求項１に記載のタッチセンス装置。
【請求項１９】
タッチプロセッサによる処理のために低周波数のタッチ信号をデジタル信号に変換するように構成された、アナログ−デジタル変換器を更に含み、タッチプロセッサはアナログ−デジタル変換器の消費電力を低減するために、第２の中心周波数のために最適化される、請求項１に記載のタッチセンス装置。
【請求項２０】
タッチプロセッサによる処理のために低周波数のタッチ信号をデジタル信号に変換するように構成された、アナログ−デジタル変換器を更に含み、タッチプロセッサはアナログ−デジタル変換器の回路設計の複雑性を低減するために、第２の中心周波数のために最適化される、請求項１に記載のタッチセンス装置。
【請求項２１】
タッチプロセッサによる処理のために低周波数のタッチ信号をデジタル信号に変換するように構成された、シグマ−デルタのアナログ−デジタル変換器を更に含む、請求項１に記載のタッチセンス装置。
【請求項２２】
タッチプロセッサによる処理のために低周波数のタッチ信号をデジタル信号に変換するように構成された、連続時間のシグマ−デルタのアナログ−デジタル変換器を更に含む、請求項１に記載のタッチセンス装置。
【請求項２３】
タッチセンス装置であって、該タッチセンス装置は：
行と列を含むタッチインターフェース；
少なくとも複数の行それぞれに、複数の固有の周波数直交信号を生成するための信号発生器であって、複数の固有の周波数直交信号は、第１の周波数範囲にあり、第１の周波数間隔を有し、第１の周波数範囲は、第１の中心周波数を有している信号発生器；
周波数変換器
を含み、
該周波数変換器は：
第１の周波数範囲内に信号が含まれ、複数の列の少なくとも１つに存在する第１のタッチ信号を受信し、
第１のタッチ信号を、第２の周波数範囲にあり、第１の周波数間隔を有し、第２の中心周波数を有している第２の信号に変換し、及び
第２の中心周波数を有している第２の信号を出力し； 
前記タッチセンス装置は更に、
第２の中心周波数を有している第２の信号を処理し且つタッチ事象のデータを出力することによりタッチインターフェース上のタッチを識別するためのタッチプロセッサ
を含み、
第２の信号は、周波数変換器により整列されたビンを有し、それにより、タッチプロセッサによる第２の信号の処理を容易にする、ことを特徴とするタッチセンス装置。
【請求項２４】
第２の中心周波数は第１の中心周波数より低い、ことを特徴とする請求項２３に記載のタッチセンス装置。
【請求項２５】
タッチプロセッサによる処理のために第２の信号をデジタル信号に変換するように構成された、アナログ−デジタル変換器を更に含み、タッチプロセッサはアナログ−デジタル変換器の回路設計の複雑性を低減するために、第２の中心周波数のために最適化される、請求項２３に記載のタッチセンス装置。
【請求項２６】
高速マルチタッチセンス装置のタッチ面の複数の列からのタッチ信号を前処理するためのシステムであって、
前記システムは、
高速マルチタッチセンス装置の複数の列のそれぞれに動作可能に取り付けられ、複数の列のそれぞれから複数のソースタッチ信号を受信するように構成され、前記複数のソースタッチ信号は、第１の周波数間隔を有し、第１の中心周波数を有している第１の信号バンドの信号をそれぞれ含む受信器と、
受信した複数のソースタッチ信号のそれぞれを混合信号と組み合わせ、前処理された複数のタッチ信号を出力し、
前処理された複数のタッチ信号は、第１の周波数間隔を有し、第２の中心周波数を有している第２の信号バンドの信号をそれぞれ含む周波数変換器と、
を含む、システム。
【請求項２７】
高速マルチタッチセンス装置は、
複数の行及び複数の列を有するタッチ面を含み、
複数の行及び複数の列は指し示めされ、
タッチ面の近くのタッチ事象は、少なくとも１つの複数の行と少なくとも１つの複数の列との間の結合の変化を引き起こす、請求項２６に記載のシステム。
【請求項２８】
高速マルチタッチセンス装置は、
少なくともいくつかの複数の行に動作可能に接続された信号発生器をさらに含み、
信号発生器は、複数の固有の周波数直交信号を同時に生成するように構成され、
固有の周波数直交信号のそれぞれは、第１の信号バンド内にある、請求項２７に記載のシステム。
【請求項２９】
複数のバンドパスフィルタを含み、
複数のバンドパスフィルタそれぞれは、
複数の列それぞれに動作可能に取り付けられ、
受信器によって信号が受信される前に、複数のソースタッチ信号のそれぞれのものをフィルタリングするように構成される、請求項２６に記載のシステム。
【請求項３０】
複数のバンドパスフィルタのそれぞれは、通過バンドを有し、通過バンドは、第１の信号バンド内に信号をパスするために選択される、請求項２９に記載のシステム。
【請求項３１】
複数のバンドパスフィルタは、アナログフィルタである、請求項３０に記載のシステム。
【請求項３２】
受信した複数のソースタッチ信号それぞれと、混合信号と、複数の前処理されたタッチ信号は、すべてアナログ信号である、請求項３１に記載のシステム。
【請求項３３】
周波数変換器は、直交周波数混合器である、請求項２６に記載のシステム。
【請求項３４】
直交周波数混合器は、
第１の周波数混合器と第２の周波数混合器とを含み、
第１の周波数混合器は、
受信した複数のソースタッチ信号のそれぞれを、位相シフトを伴わない混合信号と組み合わせ、
前記複数の前処理されたタッチ信号の第１のサブセットは同相成分を表し、
第２の周波数混合器は、
受信した複数のソースタッチ信号のそれぞれを、９０度の位相シフトを伴う混合信号と組み合わせ、
前記複数の前処理されたタッチ信号の第２のサブセットを出力し、
複数の前処理されたタッチ信号の第２のサブセットは、直交成分を表す、請求項３３に記載のシステム。
【請求項３５】
第２の中心周波数は、ゼロ周波数である、請求項３４に記載のシステム。
【請求項３６】
第１の周波数混合器と第２の周波数混合器とに動作可能に接続されたデジタイザをさらに備え、
デジタイザは、同相成分及び直交成分を受信するように構成され、
同相成分及び直交成分のデジタル表現を出力し、
スペクトル解析プロセッサは、前記デジタイザに動作可能に接続され、
同相成分及び直交成分のデジタル表現を受信し、
デジタル表現をフーリエ変換するように構成される、請求項３５に記載のシステム。